【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】
光ディスクを回転させながら、当該光ディスクに対してレーザ光を照射する光ディスク装置であって、
前記光ディスクに対してレーザ光を照射する照射手段と、
前記照射手段によって前記光ディスクに対して照射されるレーザ光のスポット径を制御するフォーカス制御手段と、
前記フォーカス制御手段によるフォーカス制御内容を決定する手段であって、前記光ディスクの所定の領域に対して前記レーザ光を前記照射手段から照射させ、その際に得られる戻り光に基づいて行われたフォーカス制御の制御量を所定量変更したフォーカス制御内容を決定する決定手段と
を具備することを特徴とする光ディスク装置。
【請求項２】
前記決定手段は、前記光ディスクが少なくとも１回転している間、基準位置からの回転量に対応してフォーカス制御内容を決定し、
前記フォーカス制御手段は、前記基準位置からの回転量に対応して前記決定手段によって決定されたフォーカス制御内容にしたがってフォーカス制御を行う
ことを特徴とする請求項１に記載の光ディスク装置。
【請求項３】
前記決定手段は、前記光ディスクの最内周側の反射領域および最外周側の反射領域に対してレーザ光を照射した際の戻り光に基づいて行われたフォーカス制御の制御量を所定量変更したフォーカス制御内容を決定する
ことを特徴とする請求項１または２に記載の光ディスク装置。
【請求項４】
前記決定手段は、径方向の前記照射手段の照射位置に応じてフォーカス制御内容を決定し、
前記フォーカス制御手段は、前記照射手段の径方向の照射位置に基づいて、前記決定手段によって決定されたフォーカス制御内容にしたがったフォーカス制御を行う
ことを特徴とする請求項３に記載の光ディスク装置。
【請求項５】
一方の面にデータ記録面が他方の面に感熱面が形成された光ディスクが、当該感熱面が前記照射手段と対向するようにセットされた場合に、画像データに対応する可視画像が前記光ディスクの感熱面に形成されるよう前記照射手段を制御する画像形成制御手段をさらに具備し、
前記決定手段は、前記可視画像を形成する際に前記感熱面に対して前記照射手段が照射するレーザ光のスポット径が、データ記録を行う際に前記記録面に対して前記照射手段が照射するレーザ光のスポット径よりも大きくなるようにフォーカス制御内容を決定する
ことを特徴とする請求項１ないし４のいずれかに記載の光ディスク装置。
【請求項６】
一方の面にデータ記録面が他方の面に可視画像が形成された画像面を有する光ディスクが、当該画像面が前記照射手段と対向するようにセットされた場合に、前記照射手段が前記画像面に対して照射したレーザ光の戻り光に基づいて画像面に形成された可視画像を読み取る読取手段をさらに具備する
ことを特徴とする請求項１ないし５のいずれかに記載の光ディスク装置。
【請求項７】
光ディスクを回転させながら、当該光ディスクに対してレーザ光を照射する光ディスク装置において、前記光ディスクに対して照射するレーザ光のスポット径を制御するフォーカス制御方法であって、
前記光ディスクの所定の領域に対して前記レーザ光を照射し、その際に得られる戻り光に基づいて行われたフォーカス制御の制御量を所定量変更したフォーカス制御内容を決定し、当該決定したフォーカス制御内容にしたがってフォーカス制御を行う
ことを特徴とするフォーカス制御方法。
【請求項８】
光ディスクを回転させながら、当該光ディスクに対してレーザ光を照射する光ディスク装置の装置各部を制御するコンピュータを、
前記光ディスクの所定の領域に対して前記レーザ光を照射させ、その際に得られる戻り光に基づいて行われたフォーカス制御の制御量を所定量変更したフォーカス制御内容を決定し、当該決定したフォーカス制御内容にしたがったフォーカス制御を行わせる手段
として機能させるためのプログラム。
【手続補正２】
【補正対象書類名】明細書
【補正対象項目名】０００７
【補正方法】変更
【補正の内容】
【０００７】
【課題を解決するための手段】
上記課題を解決するため、本発明に係る光ディスク装置は、光ディスクを回転させながら、当該光ディスクに対してレーザ光を照射する光ディスク装置であって、前記光ディスクに対してレーザ光を照射する照射手段と、前記照射手段によって前記光ディスクに対して照射されるレーザ光のスポット径を制御するフォーカス制御手段と、前記フォーカス制御手段によるフォーカス制御内容を決定する手段であって、前記光ディスクの所定の領域に対して前記レーザ光を前記照射手段から照射させ、その際に得られる戻り光に基づいて行われたフォーカス制御の制御量を所定量変更したフォーカス制御内容を決定する決定手段とを具備することを特徴としている。
【手続補正３】
【補正対象書類名】明細書
【補正対象項目名】０００９
【補正方法】変更
【補正の内容】
【０００９】
また、本発明に係るフォーカス制御方法は、光ディスクを回転させながら、当該光ディスクに対してレーザ光を照射する光ディスク装置において、前記光ディスクに対して照射するレーザ光のスポット径を制御するフォーカス制御方法であって、前記光ディスクの所定の領域に対して前記レーザ光を照射し、その際に得られる戻り光に基づいて行われたフォーカス制御の制御量を所定量変更したフォーカス制御内容を決定し、当該決定したフォーカス制御内容にしたがってフォーカス制御を行うことを特徴としている。
【手続補正４】
【補正対象書類名】明細書
【補正対象項目名】００１０
【補正方法】変更
【補正の内容】
【００１０】
また、本発明に係るプログラムは、光ディスクを回転させながら、当該光ディスクに対してレーザ光を照射する光ディスク装置の装置各部を制御するコンピュータを、前記光ディスクの所定の領域に対して前記レーザ光を照射させ、その際に得られる戻り光に基づいて行われたフォーカス制御の制御量を所定量変更したフォーカス制御内容を決定し、当該決定したフォーカス制御内容にしたがったフォーカス制御を行わせる手段として機能させる。
【手続補正５】
【補正対象書類名】明細書
【補正対象項目名】００４４
【補正方法】変更
【補正の内容】
【００４４】
そして、制御部１６は、光ディスクＤが１回転させられている間に受光される戻り光に基づいてサーボ回路１３によって実行されたフォーカス制御内容を取得し、当該実際に行われたフォーカス制御内容、つまり、フォーカスアクチュエータの制御量を所定量だけ変更したフォーカス制御内容を、ＰＬＬ回路３３によって供給されるクロック信号に同期付けてその内容をＲＡＭ等に記憶する。
【手続補正６】
【補正対象書類名】明細書
【補正対象項目名】００４５
【補正方法】変更
【補正の内容】
【００４５】
より具体的には、図１３に示すように、上記のテスト照射時には、通常の一般的なフォーカス制御と同様に、光ピックアップ１０の受光素子５６から出力される信号に基づいて非点収差法を利用して行われる。すなわち、図１３に示す受光素子５６の４つのエリア５６ａ，５６ｂ，５６ｃ，５６ｄの中心に円形の戻り光（図のＡ）が受光されるようサーボ回路１３がフォーカスアクチュエータ６４（図３参照）を駆動する。すなわち、エリア５６ａ，５６ｂ，５６ｃ，５６ｄの各々の受光量をａ，ｂ，ｃ，ｄとした場合に、（ａ＋ｃ）−（ｂ＋ｄ）によって求まるフォーカスエラーが０となるようにフォーカスアクチュエータ６４の駆動量（アクチュエータに印加する駆動電圧）を決定する。この際、通常の一般的なフォーカス制御と同様、前掲図１３および図１４に示すＡのスポットが受光されるよう（すなわち最小のスポット径のビームが光ディスクＤに対して照射されるよう）フォーカスアクチュエータ６４の駆動量が決定される。
【手続補正７】
【補正対象書類名】明細書
【補正対象項目名】００５２
【補正方法】変更
【補正の内容】
【００５２】
そして、制御部１６は、上記内周側フォーカス制御内容を記憶した時と同様の手順により、光ディスクＤの外周側の領域Ｄｂにレーザ光を照射した際に実際に行われたフォーカス制御内容、つまり、フォーカスアクチュエータの制御量を所定量だけ変更したフォーカス制御内容を、ＰＬＬ回路３３によって供給されるクロック信号に同期付けてその内容（図１５の実線で示す）をＲＡＭの外周側フォーカス制御内容記憶エリアに記憶する。